(57)【要約】      （修正有）【課題】粘着層を有しない非粘着性の情報媒体を外面に保持可能な断熱容器を提供する。【解決手段】断熱容器１００は、容器１０と、容器の開口部１１を閉鎖する蓋２０と、を備え、外面に非粘着性の情報媒体ＩＭを保持する媒体保持部３０を備える。媒体保持部は、容器の側壁に設けられ、情報媒体の外縁部を支持する外縁支持部３１と、情報媒体の一部を露出させる切欠部３２と、を有し、外縁支持部は、側壁の外面に沿う一方向に情報媒体を挿入および取り出し可能な媒体挿入口３３を有する。【選択図】図１
0003220792.tif 000002
【実用新案登録請求の範囲】
【請求項１】
容器と、該容器の開口部を閉鎖する蓋と、を備える断熱容器であって、
外面に非粘着性の情報媒体を保持する媒体保持部を備えることを特徴とする断熱容器。
【請求項２】
前記媒体保持部は、前記容器の側壁に設けられていることを特徴とする請求項１に記載の断熱容器。
【請求項３】
前記媒体保持部は、前記情報媒体の外縁部を支持する外縁支持部と、前記情報媒体の一部を露出させる切欠部と、を有することを特徴とする請求項２に記載の断熱容器。
【請求項４】
前記外縁支持部は、前記側壁の外面に沿う一方向に前記情報媒体を挿入および取り出し可能な媒体挿入口を有することを特徴とする請求項３に記載の断熱容器。
【請求項５】
前記情報媒体の前記一部を覆う媒体カバーを備えることを特徴する請求項３に記載の断熱容器。
【請求項６】
前記媒体保持部は、前記外面に凸状に設けられていることを特徴とする請求項１から請求項５のいずれか一項に記載の断熱容器。
【請求項７】
前記媒体保持部は、前記外面に凹状に設けられていることを特徴とする請求項１から請求項５のいずれか一項に記載の断熱容器。
【請求項８】
他の前記断熱容器の前記媒体保持部を嵌合させる凹部を備えることを特徴とする請求項６に記載の断熱容器。
【請求項９】
前記媒体保持部に隣接する凸部を備え、
前記凸部の突出高さは、前記媒体保持部の突出高さ以上であることを特徴とする請求項６に記載の断熱容器。
【請求項１０】
他の前記断熱容器の前記凸部を嵌合させる凹部を備えることを特徴とする請求項９に記載の断熱容器。
【考案の詳細な説明】
【技術分野】
【０００１】
本開示は、断熱容器に関する。
【背景技術】
【０００２】
従来から一部にラベル貼り領域を備えた袋体に関する発明（下記特許文献１を参照。）や、発泡樹脂製の物流容器に関する発明（下記特許文献２を参照。）が知られている。
【０００３】
特許文献１に記載された袋体は、たとえば、保冷を要する食品等の保冷および物流に用いられ、合成樹脂発泡体からなる保冷容器のカバーとなる（同文献、請求項４、５等を参照）。この袋体は、ラベルに対する粘着力が、その袋体の外側表面層を構成する材料よりも強い材料で作られたラベル貼り領域を備える（同文献、請求項１等を参照）。この発明によれば、収容物品等に関する情報を記載したラベルを貼り替え自在とした袋体を低コストで得ることができる（同文献、第００１４段落等を参照）。
【０００４】
特許文献２には、底板と周側壁とを有し上方を開放した箱型の発泡樹脂製の物流容器が記載されている（同文献、請求項１等を参照）。この物流容器の底板の下面には周側壁の内周面に内嵌合できる形状と寸法の凸部が形成されている。この物流容器は、二つの物流容器を上下に段積みしたときに、下位の物流容器の周側壁の内周面と上位の物流容器の底板下面の凸部との間に０．１〜１０．０ｍｍの隙間が形成されるように底板下面の凸部の寸法が設定されている。この発明によれば、発泡樹脂製の物流容器において、簡単な構成でありながら、安定した段積み姿勢を得ることができる。また、発泡樹脂製の物流容器を段積みした状態から分離するときも、確実に一個ずつ分離することができる（同文献、第００１７段落等を参照）。
【０００５】
また、この物流容器は、短辺側側壁の外面に第３の切り欠きが形成されている（同文献、第００２４段落、図２等を参照）。その第３の切り欠きの上端面は、物流容器を持ち上げるときの取っ手部として利用される。また、第３の切り欠きの底面には、適宜の切り込み溝が適数形成されている。第３の切り欠きの底面は内容物や配送先を示す適宜のラベルを貼り付けるのにも用いられる。この切り込み溝があることで、貼り付けたラベルが剥がし易くなる。
【先行技術文献】
【特許文献】
【０００６】
【特許文献１】特開２０１０−１３２２９３号公報
【特許文献２】特開２０１４−０６９８０３号公報
【考案の概要】
【考案が解決しようとする課題】
【０００７】
上記従来の発明によれば、保冷容器のカバーや発泡樹脂製の物流容器に貼り付けたラベルを貼り替えたり、剥がしやすくしたりすることができる。このような断熱容器においては、たとえばカタログや伝票などの粘着層を有しない情報媒体が商品等の内容物と同梱される場合がある。しかしながら、断熱容器に内容物と同梱された情報媒体は、たとえば、容器内の結露による水分によって劣化したり、容器内の冷気や暖気の循環を妨げて内容物の保冷または保温状態を悪化させたりするおそれがある。
【０００８】
本開示は、粘着層を有しない非粘着性の情報媒体を外面に保持可能な断熱容器を提供する。
【課題を解決するための手段】
【０００９】
本開示の一態様は、容器と、該容器の開口部を閉鎖する蓋と、を備えた断熱容器であって、外面に非粘着性の情報媒体を保持する媒体保持部を備えることを特徴とする断熱容器である。
【００１０】
この構成により、たとえばカタログや伝票など、粘着層を有しない非粘着性の情報媒体を、断熱容器の外面の媒体保持部に保持することができる。そのため、断熱容器の内部に内容物と情報媒体とを同梱する必要がなくなる。したがって、断熱容器の内部の水分によって情報媒体が劣化するのを防止したり、断熱容器の内部の冷気や暖気の循環を促進させて内容物の保冷または保温状態を改善したりすることができる。
【００１１】
前記断熱容器において、前記媒体保持部は、前記容器の側壁に設けられていてもよい。
【００１２】
この構成により、たとえば複数の断熱容器を積み重ねた場合でも、各々の断熱容器の側壁の外面に媒体保持部を露出させることができる。その結果、媒体保持部に保持された情報媒体の視認性を確保することができ、さらにその情報媒体へのアクセスを可能にすることができる。
【００１３】
前記断熱容器において、前記媒体保持部は、前記情報媒体の外縁部を支持する外縁支持部と、前記情報媒体の一部を露出させる切欠部と、を有してもよい。
【００１４】
この構成により、外縁支持部によって情報媒体の外縁部を支持し、媒体保持部に情報媒体を保持することができる。さらに、その媒体保持部に情報媒体を保持した状態で、切欠部によって情報媒体の外縁部以外の部分を露出させることができる。その結果、媒体保持部に保持された情報媒体の視認性を確保することができ、さらにその情報媒体へのアクセスを可能にすることができる。
【００１５】
前記断熱容器において、前記外縁支持部は、前記側壁の外面に沿う一方向に前記情報媒体を挿入および取り出し可能な媒体挿入口を有してもよい。
【００１６】
この構成により、情報媒体を外縁支持部の媒体挿入口から容器の側壁の外面に沿う一方向に挿入し、情報媒体の外縁部を外縁支持部によって支持することができる。これにより、情報媒体を、容器の側壁の外面に沿わせた状態で、媒体保持部に保持することができる。また、情報媒体の周囲を、媒体挿入口が設けられた一方向を除き、外縁支持部によって額縁状に囲むことができる。これにより、媒体保持部から情報媒体が脱落するのを防止できる。
【００１７】
前記断熱容器は、前記情報媒体の前記一部を覆う媒体カバーを備えてもよい。
【００１８】
この構成により、媒体保持部の外縁支持部に設けられた切欠部に露出した情報媒体の一部を、媒体カバーによって保護することができる。これにより、たとえば降雨などの天候による情報媒体の劣化や、障害物の衝突などによる情報媒体の損傷を抑制することができる。また、媒体カバーによって情報媒体を支持することができ、媒体保持部から情報媒体が脱落するのを防止できる。
【００１９】
前記断熱容器において、前記媒体保持部は、前記外面に凸状に設けられていてもよい。
【００２０】
この構成により、容器や蓋の厚さが薄くなることを防止して、断熱容器の断熱性が低下するのを防止することができる。また、断熱容器の外面から媒体保持部が突出した状態になるため、媒体保持部に情報媒体を保持させやすく、かつ媒体保持部から情報媒体を取り出しやすくすることができる。
【００２１】
前記断熱容器において、前記媒体保持部は、前記外面に凹状に設けられていてもよい。
【００２２】
この構成により、断熱容器の外面から媒体保持部が突出しなくなる。これにより、断熱容器を他の断熱容器に積み重ねたり、他の断熱容器の横に並べたりするときに、その断熱容器の媒体保持部が、他の断熱容器の外面に当たるのを防止できる。また、断熱容器の輸送時に、媒体保持部が壁などの障害物に当たるのを防止できる。
【００２３】
前記断熱容器は、他の前記断熱容器の前記媒体保持部を嵌合させる凹部を備えてもよい。
【００２４】
この構成により、外面に凸状の媒体保持部を有する複数の断熱容器を集積させて配置するときに、隣り合う二つの断熱容器のうち、一方の断熱容器の媒体保持部を、他方の断熱容器の凹部に嵌合させることができる。これにより、断熱容器の外面の凸状の媒体保持部が障害になることが防止され、複数の断熱容器をより接近させて密に集積させることができる。また、隣り合う二つの断熱容器のうち、一方の断熱容器の媒体保持部を、他方の断熱容器の凹部に嵌合させることで、集積された複数の断熱容器の崩れを防止することができ、複数の断熱容器を安定して集積させることができる。
【００２５】
前記断熱容器は、前記媒体保持部に隣接する凸部を備え、前記凸部の突出高さは、前記媒体保持部の突出高さ以上であってもよい。
【００２６】
この構成により、断熱容器の外面の凸部を緩衝部として機能させ、断熱容器の外面の凸状の媒体保持部を、障害物との衝突から保護することができる。すなわち、断熱容器の外面の凸状の媒体保持部よりも先に断熱容器の外面の凸部を障害物に衝突させ、媒体保持部に衝撃が作用するのを防止し、または媒体保持部に作用する衝撃を緩和することができる。
【００２７】
前記断熱容器は、他の前記断熱容器の前記凸部を嵌合させる凹部を備えてもよい。
【００２８】
この構成により、外面に凸部を有する複数の断熱容器を集積させて配置するときに、隣り合う二つの断熱容器のうち、一方の断熱容器の凸部を、他方の断熱容器の凹部に嵌合させることができる。これにより、断熱容器の外面の凸部が障害になることが防止され、複数の断熱容器をより接近させて密に集積させることができる。また、隣り合う二つの断熱容器のうち、一方の断熱容器の凸部を、他方の断熱容器の凹部に嵌合させることで、集積された複数の断熱容器の崩れを防止することができ、複数の断熱容器を安定して集積させることができる。
【考案の効果】
【００２９】
本開示によれば、粘着層を有しない非粘着性の情報媒体を外面に保持可能な断熱容器を提供することができる。
【図面の簡単な説明】
【００３０】
【図１】本開示に係る断熱容器の一実施形態を示す分解斜視図。
【図２】図１の断熱容器が備える容器を別の角度から見た斜視図。
【図３】図１の断熱容器の変形例に係る容器の斜視図。
【図４】図３の容器を別の角度から見た斜視図。
【考案を実施するための形態】
【００３１】
以下、図面を参照して本開示に係る断熱容器の実施形態を説明する。
【００３２】
図１は、本開示に係る断熱容器の一実施形態を示す分解斜視図である。本実施形態の断熱容器１００は、容器１０と、その容器１０の開口部１１を閉鎖する蓋２０と、を備え、外面に非粘着性の情報媒体ＩＭを保持する媒体保持部３０を備えることを特徴としている。
【００３３】
以下、本実施形態の断熱容器１００の各部の構成を詳細に説明する。容器１００は、上記の容器１０と、蓋２０と、媒体保持部３０と、に加えて、たとえば、媒体カバー４０と、凹部５０と、凸部６０と、凹部７０と、を備えている。
【００３４】
図２は、図１の断熱容器１００が備える容器１０を別の角度から見た斜視図である。図１および図２に示すように、容器１０は、たとえば、直方体の箱形の形状を有し、上部に長方形の開口部１１を有している。なお、容器１０の形状は、直方体の他、たとえば、立方体、円柱状、楕円柱状、多角柱状など、内容物を収容可能な任意の形状に成形することができる。容器１０は、たとえば、矩形筒状の側壁１２と、長方形板状の底壁１３と、を備えている。
【００３５】
側壁１２は、底壁１３の周縁部から容器１０の高さ方向に延びて容器１０の上端に長方形の開口部１１を画定している。また、側壁１２は、容器１０の下端に設けられた底壁１３とともに、内容物を収容するためのスペースである収容部を画定している。側壁１２は、たとえば、長方形の底壁１３の長辺に沿う一対の長手壁と、長方形の底壁１３の短辺に沿う一対の短手壁とを有している。
【００３６】
底壁１３は、側壁１２の下端に設けられている。底壁１３の周縁部は、側壁１２の下端に連結されている。底壁１３の上面と下面は、たとえば、容器１０を水平面上に配置したときに水平になるように、平坦に設けられている。底壁１３の下面は、周縁部の内側に凸部１４を有する段差状に設けられている。
【００３７】
蓋２０は、たとえば、長方形の板状に設けられている。蓋２０は、たとえば、容器１０と反対側の上面の周縁部の内側に、凹部２１を有している。凹部２１は、容器１０の底壁１３の下面に設けられた凸部１４を嵌合させることができるように、凸部１４の寸法に対応する寸法を有している。図示を省略するが、容器１０に対向する蓋２０の下面の周縁部の内側に、容器１０の開口部１１の内側に嵌合する凸部が設けられている。蓋２０は、容器１０の開口部１１を閉鎖することで、容器１０とともに内容物を収容するためのスペースである収容部を画定する。
【００３８】
容器１０および蓋２０の素材は、特に限定はされないが、たとえば、ポリスチレン系樹脂、ポリエチレン系樹脂、エチレン−スチレン共重合体、ポリプロピレン樹脂等の合成樹脂発泡体を用いることができる。また、容器１０および蓋２０は、たとえば中空の非発泡合成樹脂によって構成することも可能である。
【００３９】
媒体保持部３０は、断熱容器１００の外面に非粘着性の情報媒体ＩＭを保持するように構成されている。非粘着性の情報媒体ＩＭは、たとえば、紙媒体や電子媒体を含む。紙媒体は、たとえば、紙に印刷されたカタログ、広告、伝票、バーコード、二次元コードなどを含む。電子媒体は、たとえば、フロッピーディスク（ＦＤ）、コンパクトディスク（ＣＤ）、ＤＶＤ、ＵＳＢフラッシュドライブ、ＲＦＩＤ、ＩＣタグなどを含む。なお、非粘着性の情報媒体ＩＭは、粘着層を有するラベルを含まない。すなわち、ラベルは、粘着層を介して断熱容器１００の外面に貼り付けられる粘着性の情報媒体である。
【００４０】
媒体保持部３０は、たとえば、容器１０の側壁１２に設けられている。より詳細には、媒体保持部３０は、たとえば、断熱容器１００の外面の一部である、容器１０の側壁１２の外面に設けられている。なお、媒体保持部３０は、必ずしも容器１０の側壁１２の外面に設けられている必要はない。たとえば、媒体保持部３０は、断熱容器１００の外面の一部である、容器１０の底壁１３の下面や、蓋２０の上面に設けられていてもよい。
【００４１】
媒体保持部３０は、たとえば、断熱容器１００の外面に、凸状に設けられている。すなわち、媒体保持部３０は、たとえば、断熱容器１００の外面よりも、断熱容器１００の外方に向けて突出している。具体的には、媒体保持部３０は、たとえば、容器１０の側壁１２の外面に、凸状に設けられている。詳細には、媒体保持部３０は、たとえば、容器１０の側壁１２の一対の短手部分のうち、一方の短手部分の外面の下部に、凸状に設けられている。なお、媒体保持部３０は、側壁１２の長手部分の外面に設けられていてもよい。
【００４２】
媒体保持部３０は、たとえば、情報媒体ＩＭの外縁部を支持する外縁支持部３１と、情報媒体ＩＭの一部を露出させる切欠部３２と、を有している。外縁支持部３１は、容器１０と同一の材料で容器１０と一体に成形されていてもよいし、容器１０と異なる材料によって製作されて容器１０に固定されていてもよい。外縁支持部３１の素材としては、たとえば、ポリスチレン（ＰＳ）など、非発泡の硬質の合成樹脂を用いることができる。
【００４３】
外縁支持部３１は、たとえば、矩形の情報媒体ＩＭの外縁部を支持する矩形枠状または額縁状に設けられている。より詳細には、外縁支持部３１は、断熱容器１００の外面に固定された枠状部と、断熱容器１００の外面との間に情報媒体ＩＭの外縁部を保持する支持部と、を有している。外縁支持部３１の枠状部は、情報媒体ＩＭが保持される矩形の保持領域の外縁に沿って延びている。外縁支持部３１の支持部は、外縁支持部３１の枠状部から断熱容器１００の外面に沿って上記保持領域の内側へ延びている。これにより、外縁支持部３１は、矩形の保持領域の外縁に交差する横断面の形状がＬ字型になっている。
【００４４】
切欠部３２は、たとえば、媒体保持部３０に設けられた開口部または切り欠きである。切欠部３２は、外縁支持部３１に保持された情報媒体ＩＭの外縁部の内側の部分を露出させる。切欠部３２は、たとえば、矩形枠状または額縁状の外縁支持部３１の内側に画定された、矩形の開口部または切り欠きである。
【００４５】
外縁支持部３１は、たとえば、容器１０の側壁１２の外面に沿う一方向に、情報媒体ＩＭを挿入および取り出し可能な、媒体挿入口３３を有している。具体的には、媒体挿入口３３は、情報媒体ＩＭの保持領域を画定する矩形の外縁支持部３１の一端を開放することによって設けられている。詳細には、媒体挿入口３３は、容器１０の側壁１２の外面に沿う、容器１０の高さ方向において、外縁支持部３１の上端に設けられている。なお、外縁支持部３１は、容器１０の高さ方向の上端を開放せず、容器１０の側壁１２に沿う横方向の一端を開放することで、側壁１２の短手部分の幅方向である横方向の一端に、媒体挿入口３３を有してもよい。
【００４６】
媒体カバー４０は、媒体保持部３０の切欠部３２に露出した情報媒体ＩＭの一部を覆うように設けられる。換言すると、媒体カバー４０は、たとえば、外縁支持部３１によって支持される、情報媒体ＩＭの外縁部を除く部分を覆うように設けられる。すなわち、媒体カバー４０は、たとえば、媒体挿入口３３に露出した情報媒体ＩＭの外縁部の上部と、情報媒体ＩＭの外縁部の内側の部分と、を覆うように設けられる。
【００４７】
媒体カバー４０は、たとえばナイロンやポリエステルなどの柔軟な合成樹脂製の板状、シート状、またはフィルム状の部材である。媒体カバー４０は、可視光を透過する透明性を有することが好ましい。また、媒体カバー４０は、たとえば、合成樹脂製のメッシュであってもよい。媒体カバー４０の外縁部は、たとえば、外縁支持部３１に接着や溶着などによって固定することができる。また、媒体カバー４０が硬質の透明な合成樹脂製である場合、たとえば、媒体カバー４０の外縁部を外縁支持部３１によって情報媒体ＩＭとともに支持することで、媒体カバー４０を媒体保持部３０から取り外し可能に設けてもよい。
【００４８】
凹部５０は、複数の断熱容器１００を集積させるときに、他の断熱容器１００の凸状の媒体保持部３０を嵌合させるように設けられている。凹部５０は、たとえば、容器１０の側壁１２の外面に設けられ、媒体保持部３０の形状および寸法に対応する形状および寸法を有している。凹部５０は、たとえば、媒体保持部３０が設けられた側壁１２の短手部分の外面を除く側壁１２の外面の三面、すなわち、媒体保持部３０を有する側壁１２の短手部分の反対側の側壁１２の短手部分の外面と、側壁１２の一対の長手部分の外面に設けられている。
【００４９】
なお、凹部５０は、媒体保持部３０が設けられた側壁１２の短手部分と反対側の側壁１２の短手部分のみに設けられていてもよい。また、側壁１２の一方の長手部分の外面に媒体保持部３０が設けられている場合には、その反対側の側壁１２の長手部分の外面のみに凹部５０を設けてもよい。いずれの場合にも、凹部５０は、同一平面上に二つの断熱容器１００を配置したときに、一方の断熱容器１００の凸状の媒体保持部３０を、他方の断熱容器１００の凹部５０に嵌合させることが可能な位置に設けられている。
【００５０】
凹部５０は、たとえば、断熱容器１００を持ち運ぶための把手５１を有している。把手５１は、たとえば、容器１０の高さ方向における凹部５０の上端部の中央部を上方に切り欠くことによって形成されている。把手５１は、たとえば、容器１０の側壁１２の一対の長手部分の凹部５０に設けられている。なお、凸状の媒体保持部３０が容器１０の側壁１２の長手部分に設けられている場合、把手５１は、側壁１２の一対の短手部分の凹部５０に設けられていてもよい。
【００５１】
凸部６０は、媒体保持部３０に隣接して設けられている。具体的には、凸部６０は、容器１０の側壁１２の外面に設けられ、たとえば、媒体保持部３０の左右の外縁に沿って、容器１０の高さ方向の下端から上端まで延びている。なお、凸部６０は、たとえば、媒体保持部３０の高さ方向の上下の外縁に沿って、横方向の一端から他端まで延びていてもよい。
【００５２】
凸部６０の突出高さは、媒体保持部３０の突出高さ以上である。すなわち、凸部６０が設けられた断熱容器１００の外面から凸部６０の先端までの突出高さは、断熱容器１００の同じ外面から凸部６０の突出高さと同じ方向に測定した媒体保持部３０の突出高さ以上である。より具体的には、容器１０の側壁１２の一方の短手部分の外面から凸部６０の先端までの突出高さは、側壁１２の同じ外面から凸部６０の突出高さと同じ方向に測定した媒体保持部３０の突出高さと等しいか、または、その媒体保持部３０の突出高さよりも高い。
【００５３】
凹部７０は、複数の断熱容器１００を集積させるときに、他の断熱容器１００の凸部６０を嵌合させるように設けられている。凹部７０は、たとえば、媒体保持部３０が設けられた容器１０の側壁１２の短手部分と反対側の側壁１２の短手部分の外面に設けられている。また、凹部７０は、容器１０の側壁１２の一対の長手部分の外面に設けられていてもよい。いずれの場合にも、凹部７０は、同一平面上に二つの断熱容器１００を配置したときに、一方の断熱容器１００の凸部６０を、他方の断熱容器１００の凹部７０に嵌合させることが可能な位置に設けられている。
【００５４】
凸部６０が媒体保持部３０の左右の外縁に沿って、容器１０の高さ方向の下端から上端まで延びている場合、凹部７０は、たとえば、媒体保持部３０を嵌合させる凹部５０の左右の外縁に沿って容器１０の高さ方向の下端から上端まで延びている。また、凸部６０が媒体保持部３０の高さ方向の上下の外縁に沿って、横方向の一端から他端まで延びている場合、凹部７０は、たとえば、凹部５０の上下の外縁に沿って容器１０の横方向の一端から他端まで延びている。
【００５５】
以下、本実施形態の断熱容器１００の作用を説明する。
【００５６】
前述のように、本実施形態の断熱容器１００は、容器１０と、その容器１０の開口部１１を閉鎖する蓋２０と、を備えている。また、断熱容器１００は、その外面に、非粘着性の情報媒体ＩＭを保持する媒体保持部３０を備えている。
【００５７】
この構成により、たとえばカタログや伝票など、粘着層を有しない非粘着性の情報媒体ＩＭを、断熱容器１００の外面の媒体保持部３０に保持することができる。そのため、断熱容器１００の内部に、内容物と情報媒体ＩＭとを同梱する必要がなくなる。これにより、断熱容器１００の内部で内容物から発生した水分や、結露によって発生した水分によって情報媒体ＩＭが劣化するのを防止できる。また、情報媒体ＩＭが、断熱容器１００の内部の冷気や暖気の循環を妨げることを防止できる。したがって、断熱容器１００の内部の冷気や暖気の循環を促進させ、断熱容器１００の内容物の保冷または保温状態を改善することができる。
【００５８】
また、本実施形態の断熱容器１００において、媒体保持部３０は、容器１０の側壁１２の外面に設けられている。
【００５９】
この構成により、たとえば複数の断熱容器１００を積み重ねた場合でも、各々の断熱容器１００の側壁１２の外面に媒体保持部３０を露出させることができる。その結果、媒体保持部３０に保持された情報媒体ＩＭの視認性を確保することができ、さらにその情報媒体ＩＭへのアクセスを可能にすることができる。
【００６０】
また、本実施形態の断熱容器１００において、媒体保持部３０は、情報媒体ＩＭの外縁部を支持する外縁支持部３１と、情報媒体ＩＭの一部を露出させる切欠部３２と、を有している。
【００６１】
この構成により、外縁支持部３１によって情報媒体ＩＭの外縁部を支持し、媒体保持部３０に情報媒体ＩＭを保持することができる。さらに、媒体保持部３０に情報媒体ＩＭを保持した状態で、切欠部３２によって情報媒体ＩＭの外縁部以外の部分を露出させることができる。その結果、媒体保持部３０に保持された情報媒体ＩＭの視認性を確保することができ、さらにその情報媒体ＩＭへのアクセスを可能にすることができる。
【００６２】
また、本実施形態の断熱容器１００において、外縁支持部３１は、容器１０の側壁１２の外面に沿う一方向に、情報媒体ＩＭを挿入および取り出し可能な、媒体挿入口３３を有している。
【００６３】
この構成により、情報媒体ＩＭを外縁支持部３１の媒体挿入口３３へ容器１０の側壁１２の外面に沿う一方向に挿入し、情報媒体ＩＭの外縁部を外縁支持部３１によって支持することができる。これにより、情報媒体ＩＭを、容器１０の側壁１２の外面に沿わせた状態で、媒体保持部３０に保持することができる。また、情報媒体ＩＭの周囲を、媒体挿入口３３が設けられた一方向を除き、外縁支持部３１によって、たとえば額縁状に囲むことができる。これにより、媒体保持部３０から情報媒体ＩＭが脱落するのを防止できる。
【００６４】
また、本実施形態の断熱容器１００は、媒体保持部３０の切欠部３２に露出した、情報媒体ＩＭの一部を覆う媒体カバー４０を備えている。
【００６５】
この構成により、媒体保持部３０の外縁支持部３１に設けられた切欠部３２に露出した情報媒体ＩＭの一部を、媒体カバー４０によって保護することができる。これにより、たとえば降雨などの天候による情報媒体ＩＭの劣化や、障害物の衝突などによる情報媒体ＩＭの損傷を抑制することができる。また、媒体カバー４０によって情報媒体ＩＭを支持することができ、媒体保持部３０から情報媒体ＩＭが脱落するのを防止できる。
【００６６】
また、本実施形態の断熱容器１００において、媒体保持部３０は、断熱容器１００の外面に凸状に設けられている。
【００６７】
この構成により、容器１０や蓋２０の厚さが薄くなることを防止して、断熱容器１００の断熱性が低下するのを防止することができる。また、断熱容器１００の外面から媒体保持部３０が突出した状態になるため、媒体保持部３０に情報媒体ＩＭを保持させやすく、かつ媒体保持部３０から情報媒体ＩＭを取り出しやすくすることができる。
【００６８】
また、本実施形態の断熱容器１００は、他の断熱容器１００の媒体保持部３０を嵌合させる凹部５０を備えている。
【００６９】
この構成により、外面に凸状の媒体保持部３０を有する複数の断熱容器１００を集積させて配置するときに、隣り合う二つの断熱容器１００のうち、一方の断熱容器１００の媒体保持部３０を、他方の断熱容器１００の凹部５０に嵌合させることができる。これにより、断熱容器１００の外面の凸状の媒体保持部３０が障害になることが防止され、複数の断熱容器１００をより接近させて密に集積させることができる。また、隣り合う二つの断熱容器１００のうち、一方の断熱容器１００の媒体保持部３０を、他方の断熱容器１００の凹部５０に嵌合させることで、集積された複数の断熱容器１００の崩れを防止することができ、複数の断熱容器１００を安定して集積させることができる。
【００７０】
また、本実施形態の断熱容器１００は、媒体保持部３０に隣接する凸部６０を備えている。そして、凸部６０の突出高さは、媒体保持部３０の突出高さ以上である。
【００７１】
この構成により、断熱容器１００の外面の凸部６０を緩衝部として機能させ、断熱容器１００の外面の凸状の媒体保持部３０を、障害物との衝突から保護することができる。すなわち、断熱容器１００の外面の凸状の媒体保持部３０よりも先または同時に、断熱容器１００の外面の凸部６０を障害物に衝突させ、媒体保持部３０に衝撃が作用するのを防止し、または媒体保持部３０に作用する衝撃を緩和することができる。
【００７２】
また、本実施形態の断熱容器１００は、他の断熱容器１００の凸部６０を嵌合させる凹部７０を備えている。
【００７３】
この構成により、外面に凸部６０を有する複数の断熱容器１００を集積させて配置するときに、隣り合う二つの断熱容器１００のうち、一方の断熱容器１００の凸部６０を、他方の断熱容器１００の凹部７０に嵌合させることができる。これにより、断熱容器１００の外面の凸部６０が障害になることが防止され、複数の断熱容器１００をより接近させて密に集積させることができる。また、隣り合う二つの断熱容器１００のうち、一方の断熱容器１００の凸部６０を、他方の断熱容器１００の凹部７０に嵌合させることで、集積された複数の断熱容器１００の崩れを防止することができ、複数の断熱容器１００を安定して集積させることができる。
【００７４】
以上説明したように、本実施形態によれば、粘着層を有しない非粘着性の情報媒体ＩＭを外面に保持可能な断熱容器１００を提供することができる。なお、本開示に係る断熱容器は、本実施形態の断熱容器１００の構成に限定されない。以下、本実施形態に係る断熱容器１００の変形例について、図１を援用し、図３および図４を参照して説明する。
【００７５】
図３は、図１の断熱容器１００の変形例に係る断熱容器が備える容器１０Ａの斜視図である。図４は、図３の容器１０Ａを別の角度から見た斜視図である。なお、本変形例に係る断熱容器において、前述の実施形態に係る断熱容器１００と同様の構成については、同一の符号を付して説明を適宜省略する。
【００７６】
本変形例の断熱容器において、媒体保持部３０Ａは、断熱容器の外面に凹状に設けられている。具体的には、媒体保持部３０Ａは、たとえば、容器１０Ａの側壁１２の外面に、凹状に設けられている。詳細には、媒体保持部３０Ａは、たとえば、容器１０Ａの側壁１２の一対の短手部分の外面の下部に、凹状に設けられている。
【００７７】
媒体保持部３０Ａは、たとえば、容器１０Ａの側壁１２の外面に設けられた凹部であり、側壁面に情報媒体ＩＭの外縁部を保持可能な溝を有している。また、断熱容器は、媒体保持部３０Ａの媒体挿入口３３に連続する凹部８０を有している。凹部８０は、たとえば、容器１０Ａの高さ方向の上方へ向けて開口する媒体挿入口３３の上方に設けられ、媒体挿入口３３から容器１０Ａの側壁１２の上端まで連続している。
【００７８】
本変形例においても、断熱容器は、前述の実施形態に係る断熱容器１００と同様に、容器１０Ａと、その容器１０Ａの開口部１１を閉鎖する蓋２０と、を備え、外面に非粘着性の情報媒体ＩＭを保持する媒体保持部３０Ａを備えている。
【００７９】
この構成により、本変形例の断熱容器においても、前述の実施形態に係る断熱容器１００と同様に、たとえばカタログや伝票など、粘着層を有しない非粘着性の情報媒体ＩＭを、断熱容器の外面の媒体保持部３０Ａに保持することができる。そのため、断熱容器の内部に内容物と情報媒体ＩＭとを同梱する必要がなくなる。したがって、断熱容器の内部の水分によって情報媒体ＩＭが劣化するのを防止したり、情報媒体ＩＭの内部の冷気や暖気の循環を促進させて内容物の保冷または保温状態を改善したりすることができる。
【００８０】
また、本変形例の断熱容器において、媒体保持部３０Ａは、断熱容器の外面に凹状に設けられている。
【００８１】
この構成により、断熱容器の外面から媒体保持部３０Ａが突出しなくなる。これにより、断熱容器を他の断熱容器に積み重ねたり、他の断熱容器の横に並べたりするときに、その断熱容器の媒体保持部３０Ａが、他の断熱容器の外面に当たるのを防止できる。また、断熱容器の輸送時に、媒体保持部３０Ａが壁などの障害物に当たるのを防止できる。
【００８２】
以上、図面を用いて本開示に係る断熱容器の実施形態を詳述してきたが、具体的な構成はこの実施形態に限定されるものではなく、本開示の要旨を逸脱しない範囲における設計変更等があっても、それらは本開示に含まれるものである。
【符号の説明】
【００８３】
１０    容器
１０Ａ  容器
１１    開口部
１２    側壁
２０    蓋
３０    媒体保持部
３０Ａ  媒体保持部
３１    外縁支持部
３２    切欠部
３３    媒体挿入口
４０    媒体カバー
５０    凹部
６０    凸部
７０    凹部
１００  断熱容器
ＩＭ    情報媒体
【図１】
0003220792.tif 000003
【図２】
0003220792.tif 000004
【図３】
0003220792.tif 000005
【図４】
0003220792.tif 000006